(57)【要約】【課題】各電線が嵩張ることなく配索されるようにする。【解決手段】配線具１０は、互いに対向する挟み片１１と、これら挟み片１１をつなぐ連結部１２とを備える。対向する挟み片１１と連結部１２との間には、挟み片１１の対向面１５に沿って複数本の電線６０が並ぶように挿入される電線収容空間１３が設けられている。対向する挟み片１１のうちの少なくとも１つには、電線収容空間１３に挿入された電線６０が抜け出るのを規制する抜止部１４が設けられている。【選択図】図２
2015023599.tif 000002
【特許請求の範囲】
【請求項１】
互いに対向する挟み片と、これら挟み片をつなぐ連結部とを備え、
前記対向する挟み片と前記連結部との間には、前記挟み片の対向面に沿って複数本の電線が並ぶように挿入される電線収容空間が設けられ、
前記対向する挟み片のうちの少なくとも１つには、前記電線収容空間に挿入された前記電線が抜け出るのを規制する抜止部が設けられていることを特徴とする配線具。
【請求項２】
前記抜止部は、前記電線が挿入される側となる前記電線収容空間の入り口側と対応する位置に設けられていることを特徴とする請求項１記載の配線具。
【請求項３】
前記抜止部は、前記挟み片の撓み動作を伴ったあと前記電線の抜け出しを規制する状態になることを特徴とする請求項１又は２記載の配線具。
【請求項４】
前記電線収容空間に挿入された前記各電線は、前記対向する挟み片間に挟まれて保持されることを特徴とする請求項１ないし３のいずれか１項記載の配線具。    
【請求項５】
前記電線の配索経路が屈曲する場合に、前記連結部は、前記配索経路の屈曲箇所と対応する位置に配索方向に屈曲する屈曲部を有し、前記挟み片は、前記屈曲部を挟んだ両側で相互の対向面が交差する方向を向くように配置されることを特徴とする請求項１ないし４のいずれか１項記載の配線具。
【請求項６】
前記抜止部は、前記対向する挟み片同士が互いに係止し合うことによって構成されることを特徴とする請求項１ないし５のいずれか１項記載の配線具。
【発明の詳細な説明】
【技術分野】
【０００１】
本発明は、ワイヤハーネスの各電線をまとめて配索するための配線具に関する。
【背景技術】
【０００２】
一般的に、自動車に複数本の電線が配索される場合、各電線はその配索方向（長さ方向）に間隔をあけて取り付けられるタイバンドによって締結して結束される。例えば、特許文献１のタイバンドは、ボックス状の本体と、本体から延出するバンドとを備えている。バンドには係止溝が設けられ、本体内には係止爪が設けられている。特許文献１の場合、複数本の電線の外周にバンドが巻き付けられて、バンドの先端部が本体内に挿入され、その状態で、本体の係止爪がバンドの係止溝に係止されることにより、各電線が結束されて保持されるようになっている。
【先行技術文献】
【特許文献】
【０００３】
【特許文献１】特開２０１２−９０３５９号公報
【発明の概要】
【発明が解決しようとする課題】
【０００４】
ところで、上記のようなタイバンドで結束された各電線は、その径方向に積み重なって嵩張った状態になるという事情があった。このため、自動車のルーフのような狭小スペースには、タイバンドで結束された各電線を収めることが難しいという問題があった。
【０００５】
本発明は上記のような事情に基づいて完成されたものであって、各電線が嵩張ることなく配索されるようにすることを目的とする。
【課題を解決するための手段】
【０００６】
本発明は、互いに対向する挟み片と、これら挟み片をつなぐ連結部とを備え、前記対向する挟み片と前記連結部との間には、前記挟み片の対向面に沿って複数本の電線が並ぶように挿入される電線収容空間が設けられ、前記対向する挟み片のうちの少なくとも１つには、前記電線収容空間に挿入された前記電線が抜け出るのを規制する抜止部が設けられているところに特徴を有する。
【発明の効果】
【０００７】
配線具の電線収容空間に複数本の電線が挿入されると、各電線が挟み片の対向面に沿って並ぶように配索されるため、各電線の嵩張りが抑えられる。このため、配索経路が狭小スペースである場合に好適に利用可能となる。また、抜止部によって電線の電線収容空間からの抜け出しが規制されるため、配線具と電線との一体状態を保持することができる。
【図面の簡単な説明】
【０００８】
【図１】実施例１の配線具の斜視図である。
【図２】配線具の正面図である。
【図３】配線具の側面図である。
【図４】配線具を含むワイヤハーネスの平面図である。
【図５】実施例２の配線具の斜視図である。
【図６】配線具の側面図である。
【図７】実施例３の配線具の斜視図である。
【図８】配線具の電線収容空間に電線が収容された状態をあらわす断面図である。
【図９】配線具の正面図である。
【図１０】実施例４の配線具の斜視図である。
【図１１】配線具の正面図である。
【図１２】両挟み片同士が互いに係止し合うことによって電線が抜け止めされた状態をあらわす正面図である。
【図１３】実施例５の配線具の斜視図である。
【図１４】電線が配索された状態をあらわす平面図である。
【発明を実施するための形態】
【０００９】
本発明の好ましい形態を以下に示す。
前記抜止部は、前記電線が挿入される側となる前記電線収容空間の入り口側と対応する位置に設けられている。これにより、電線収容空間内に電線が収容されるスペースを大きく確保することができる。
【００１０】
前記抜止部は、前記挟み片の撓み動作を伴ったあと前記電線の抜け出しを規制する状態になる。これによれば、電線収容空間に電線が収容されると、挟み片の撓み動作を伴って電線の抜け出しも規制されるため、電線の抜け出しを規制するための作業を別に行う必要がない。
【００１１】
前記電線収容空間に挿入された前記各電線は、前記対向する挟み片間に挟まれて保持される。こうすると、各電線と挟み片との間に発生する摩擦抵抗によって、配線具が電線の配索方向に位置ずれするのが防止される。
【００１２】
前記電線の配索経路が屈曲する場合に、前記連結部は、前記配索経路の屈曲箇所と対応する位置に配索方向に屈曲する屈曲部を有し、前記挟み片は、前記屈曲部を挟んだ両側で相互の対向面が交差する方向を向くように配置される。これによれば、電線の配索経路が屈曲する場合に、電線の屈曲状態が配線具によって安定して保持されるとともに、配線具が電線の配索方向に位置ずれするのが防止される。
【００１３】
前記抜止部は、前記対向する挟み片同士が互いに係止し合うことによって構成される。これによれば、電線が電線収容空間内から抜け出るのが確実に防止される。
【００１４】
＜実施例１＞
本発明の実施例１を図１〜図４によって説明する。実施例１の配線具１０は、図４に示すように、ワイヤハーネスを構成する複数本の電線６０を平面状に並べて配索するためのものであって、各電線６０の配索方向途中に間隔をあけて複数設置されている。各電線６０の配索方向両端部には、図示しない端子金具が接続されている。端子金具は、コネクタ７０内に収容されて保持されている。このため、各電線６０の配索方向両端部にはコネクタ７０が取り付けられることになる。なお、電線６０は、導体を絶縁樹脂で被覆した被覆電線として構成される。また、以下において、電線６０の配索方向は、電線６０の長さ方向と同義であり、電線６０の並び方向は、電線６０の配索方向と直交する方向であって、配線具１０の幅方向と同義である。
【００１５】
配線具１０は、図１及び図２に示すように、全体としてクリップ状をなし、互いに略平行に対向して配置される一対の挟み片１１と、両挟み片１１の幅方向一端部同士をつなぐ連結部１２とを備えている。両挟み片１１は、幅方向に沿った平面視矩形の平板状をなし、連結部１２は、挟み片１１の全長に亘って延びるとともに、図２の上下方向となる高さ方向に短く架橋された形状をなしている。
【００１６】
両挟み片１１と連結部１２との間には、幅方向に延びて連結部１２が位置する側とは反対側となる幅方向他端に開口するスリット状の電線収容空間１３が設けられている。両挟み片１１の対向面１５間となる電線収容空間１３の高さ寸法は、電線６０の直径とほぼ同一とされている。
【００１７】
また、両挟み片１１の幅方向他端部には、電線収容空間１３の入り口側となる幅方向他端部を狭めるように、電線収容空間１３へ向けて対向状に突出する一対の抜止部１４が設けられている。図２に示すように、両抜止部１４は、挟み片１１の全長に亘って延びるリブ状をなし、且つ、その突出端へ向けて連結部１２側に傾斜するオーバーハング状をなしている。
【００１８】
さて、図２に示すように、上記のように構成される配線具１０の電線収容空間１３においては、その電線収容空間１３の入り口側となる幅方向他側を通して、各電線６０が、挟み片１１の対向面１５に沿って順次挿入させられる。電線６０が両抜止部１４間を通過する際には、両抜止部１４に電線６０が干渉し、これによって両挟み片１１のうちの少なくとも一方が連結部１２に連結される幅方向一端部を支点として弾性的に拡開変形させられる。配線具１０の電線収容空間１３に全ての電線６０が挿入されると、挟み片１１が弾性的に復帰して、最後に挿入された電線６０に両抜止部１４が当接可能に配置され、これによって各電線６０が電線収容空間１３に幅方向に一列に並んだ状態で抜け止め保持される。なお、このとき、各電線６０の高さ方向両端には、両挟み片１１の対向面１５が弾性的に当接可能に配置される。
【００１９】
以上のように、実施例１によれば、配線具１０の電線収容空間１３に挿入された各電線６０が挟み片１１の対向面１５に沿って実質的に一列に並んで配索されるため、各電線６０が径方向に丸まって積み重なることがなく、各電線６０の嵩張りが効果的に抑えられる。このため、電線６０の配索経路が自動車のルーフのような狭小スペースである場合に好適に利用可能となる。また、両抜止部１４によって電線６０の電線収容空間１３からの抜け出しが規制されるため、配線具１０と電線６０との一体状態を良好に保持することができる。とくに、電線収容空間１３に挿入された各電線６０が両挟み片１１間に挟まれて保持されるため、各電線６０と挟み片１１との間に発生する摩擦抵抗によって、配線具１０が電線６０の配索方向に位置ずれするのが防止される。
【００２０】
また、両抜止部１４が挟み片１１における電線収容空間１３の入り口側と対応する位置に設けられているため、電線収容空間１３内における電線６０の収容スペースを大きく確保することができる。
【００２１】
さらに、電線収容空間１３に電線６０が収容されると、挟み片１１の撓み動作を伴って電線６０の抜け出しも規制されるため、電線６０の抜け出しを規制するための作業を別に行う必要がない。
【００２２】
＜実施例２＞
図５及び図６は、本発明の実施例２を示す。実施例２の配線具１０Ａは、電線６０の配索経路が略直角に屈曲する場合に適用されるものであって、配索経路の屈曲箇所と対応する位置に略直角に屈曲する屈曲部１６を有するとともに、屈曲部１６を挟んだ両側に相互の板面が略直交する一対の配線部１７を備えて構成される。なお、以下において、実施例１と同様の構造部分及び相当する機能を有する部分については、実施例１と同一名称及び同一符号を付し、重複する説明は省略する。この点は、以下の実施例３〜５についても同様である。
【００２３】
両配線部１７は、それぞれ、実施例１の配線具１０Ａと同様の構造を有し、互いに対向する一対の挟み片１１と、両挟み片１１の幅方向一端部同士をつなぐ連結部１２とを備えている。両挟み片１１と連結部１２との間には、各電線６０を並列状に収容可能な電線収容空間１３が設けられている。また、両挟み片１１の幅方向他端部には、電線収容空間１３に突出する一対の抜止部１４が設けられている。
【００２４】
両配線部１７のうち、一方の配線部１７の板面（対向面１５を含む）は図６の左右方向に沿って配置され、他方の配線部１７の板面は図６の上下方向に沿って配置されている。このため、配線具１０Ａは全体として側面視略Ｌ字状の形態になっている。そして、各挟み片１１は、両配線部１７間でスリット１８を介して互いに分断されている。また、各挟み片１１のうち、配索経路の屈曲方向外側に位置する挟み片１１Ｓは、屈曲方向内側に位置する挟み片１１Ｔよりもスリット１８を狭める方向にせり出す形態とされている。さらに、配索経路の屈曲方向外側に位置する挟み片１１Ｓには、その幅方向他端側の角部に、スリット１８を拡げる方向に切欠状に凹む形態をなす逃げ部１９が設けられている。
【００２５】
屈曲部１６は、両配線部１７の連結部１２間に配置されて、両連結部１２をつなぐ形態とされている。上記したスリット１８の幅方向一端は屈曲部１６によって閉塞されている。また、図６に示すように、屈曲部１６の曲げの内側縁には、配線部１７のそれぞれの挟み片１１間にまたがって屈曲リブ２１が設けられている。
【００２６】
さて、各電線６０は、スリット１８内で屈曲リブ２１に沿って略直角に曲げられた状態で、両配線部１７のそれぞれの電線収容空間１３に挿入されて各抜止部１４によって抜け止め保持される。このため、各電線６０の屈曲状態が安定して保持されるとともに、配線具１０Ａが電線６０の配索方向に位置ずれするのが確実に防止される。また、実施例２によれば、仮に、電線６０の曲げ部分が弛んで余長が生じていても、スリット１８及び逃げ部１９に電線６０の余長を逃がすことができる。
なお、本実施例では、屈曲部１６は配索経路の屈曲箇所と対応する位置に略直角に屈曲するように形成したが、これに限定されるものではなく、鈍角や鋭角になっていても配線具の角度を変えるようにしてもよい。
【００２７】
＜実施例３＞
図７〜図９は、本発明の実施例３を示す。実施例３の配線具１０Ｂは、実施例１と同様、互いに対向する一対の挟み片１１と、両挟み片１１の幅方向一端部同士をつなぐ連結部１２とを備えているが、両挟み片１１の形状が実施例１とは異なる。また、抜止部１４の形状も実施例１とは異なる。
【００２８】
両挟み片１１の対向面１５には、それぞれ、電線収容空間１３に突出するとともに、幅方向に延びる複数の規制リブ２２が設けられている。図８に示すように、各規制リブ２２は、両挟み片１１の対向面１５間で凹凸状の向き合うように配置されている。このため、配線具１０Ｂの電線収容空間１３には、各規制リブ２２間をぬうように、電線６０が蛇行して配索される。
【００２９】
また、両挟み片１１の各規制リブ２２には、電線収容空間１３の入り口側と対応する幅方向他端部に、それぞれ抜止部１４が設けられている。各抜止部１４は、各規制リブ２２の突出端から電線６０の配索方向に突出する形態とされ、図示上下方向となる高さ方向で対向する規制リブ２２間で互いに重なり合う位置に配置されている。このため、配線具１０Ｂの電線収容空間１３に各電線６０が幅方向に並んで挿入された後、両挟み片１１の撓み動作を伴いつつ、対向する規制リブ２２の抜止部１４同士が掛け止められることにより、各電線６０が電線収容空間１３に抜け止め保持される。
【００３０】
実施例３の場合、図８に示すように、配線具１０Ｂの電線収容空間１３に各電線６０が蛇行して配索されることにより、各規制リブ２２と電線６０との間に大きな摩擦抵抗が発生するため、配線具１０Ｂが電線６０の配索方向に滑って位置ずれするのが確実に防止される。
【００３１】
＜実施例４＞
図１０〜図１２は、本発明の実施例４を示す。実施例４の配線具１０Ｃは、実施例１と同様、互いに対向する一対の挟み片１１と、両挟み片１１の幅方向一端部同士をつなぐ連結部１２とを備えているが、両挟み片１１の形状が実施例１と異なる。また、抜止部１４の形状も実施例１とは異なる。
【００３２】
両挟み片１１のうち、図示上方の挟み片１１Ｆには、電線収容空間１３に突出するとともに、幅方向に延びる当接リブ２３が設けられている。図１１に示すように、当接リブ２３の幅方向他端側の下縁には、幅方向他端へ向けて上り勾配で傾斜する斜辺部２４が設けられている。図１２に示すように、当接リブ２３と図示下方の挟み片１１Ｅとの間には、各電線６０が幅方向に一列で並んで配置される。
【００３３】
また、上方の挟み片１１Ｆの幅方向他端部には、挟み片１１Ｆの長さ方向両側で対をなす抜止部１４が設けられている。両抜止部１４は、下方へ突出したあと幅方向一側へ向けて屈曲する略Ｌ字状の形態をなし、対向する当接リブ２３との間に、ロック空間２５を有している。
【００３４】
実施例４によれば、配線具１０Ｃの電線収容空間１３に各電線６０が収容された後、図１２に示すように、下方の挟み片１１がロック空間２５に入り込むように、両挟み片１１が互いに弾性的に近づけられ、その状態で、下方の挟み片１１の幅方向他端部が両抜止部１４に引っ掛け係止される。これにより、両挟み片１１が互いに撓み変形した状態で、配線具１０Ｃの電線収容空間１３の入り口側が閉じられ、各電線６０の電線収容空間１３からの抜け出しが防止される。
【００３５】
＜実施例５＞
図１３及び図１４は、本発明の実施例５を示す。実施例５の配線具１０Ｄは、実施例１の配線具１０に、電線６０に対する滑り止め部２６を付加して構成されている。滑り止め部２６は、図示下方の挟み片１１Ｅの幅方向一端部及び連結部１２の下端部に一体に連結されて電線６０の配索方向に張り出す板片状の基台部２７と、基台部２７の上面に突設された円柱状の突部２８とからなる。
【００３６】
実施例５の場合、配線具１０Ｄの電線収容空間１３に各電線６０が収容されるに際し、図１４に示すように、電線収容空間１３に最初に挿入された電線６０Ｇが基台部２７上に載せられて、この電線６０Ｇが突部２８の外周に巻き付けられる。こうすると、配線具１０Ｄが電線６０の配索方向の所定位置に滑ることなく確実に位置決め保持される。
【００３７】
＜他の実施例＞
本発明は上記記述及び図面によって説明した実施例に限定されるものではなく、例えば次のような態様も本発明の技術的範囲に含まれる。
（１）実施例１の場合、抜止部は、対向する挟み片のうちのいずれか１つのみに設けられるものであってもよい。
（２）実施例１の配線具において、例えば、対向する挟み片の対向面を梨地面とすることにより、挟み片と電線との間の摩擦抵抗を増大させて、電線に対する滑り止め機能を高めた構造としてもよい。
（３）各電線は、電線収容空間に挿入された状態で、高さ方向に積み重なる部分を含むものであってもよい。
（４）各電線は、配線具で並列に結束される部分と、タイバンドで丸まって結束される部分とを含むものであってもよい。例えば、各電線の両端部には、コネクタへの連結を考慮してタイバンドが設置され、各電線の配索方向途中部には、高さ寸法を抑えるべく配線具が設置されるとよい。
【符号の説明】
【００３８】
１０、１０Ａ、１０Ｂ、１０Ｃ、１０Ｄ…配線具
１１…挟み片
１２…連結部
１３…電線収容空間
１４…抜止部
１５…対向面
６０…電線 
【図１】
2015023599.tif 000003
【図２】
2015023599.tif 000004
【図３】
2015023599.tif 000005
【図４】
2015023599.tif 000006
【図５】
2015023599.tif 000007
【図６】
2015023599.tif 000008
【図７】
2015023599.tif 000009
【図８】
2015023599.tif 000010
【図９】
2015023599.tif 000011
【図１０】
2015023599.tif 000012
【図１１】
2015023599.tif 000013
【図１２】
2015023599.tif 000014
【図１３】
2015023599.tif 000015
【図１４】
2015023599.tif 000016